(57)【要約】      （修正有）【課題】滑走の際に両手を使用することができ、衝撃を受けても身体から離脱せず、装着したまま移動することができる尻滑り用パンツを提供する。【解決手段】尻滑り用パンツ１は、ゲレンデや雪山、草スキー場等で尻滑りする際に装着者によってズボンやヤッケ等の装備の上から装着されるパンツである。尻滑り用パンツ１は、パンツ部１０と、滑走部２０とを備える。パンツ部１０は、防水性を有し、装着者によって装備の上から装着される。滑走部２０は、滑走に適した剛性を有し、パンツ部１０の尻の部分に固定されている。【選択図】図２
0003210206.tif 000002
【実用新案登録請求の範囲】
【請求項１】
防水性を有し、装着者によって装備の上から装着されるパンツ部と、
滑走に適した剛性を有し、前記パンツ部の尻の部分に固定された滑走部と、
を備えることを特徴とする尻滑り用パンツ。
【請求項２】
前記パンツ部が、右側面と左側面にそれぞれ、当該各側面を開放できるチャックを有することを特徴とする請求項１に記載の尻滑り用パンツ。
【請求項３】
前記パンツ部が、ウエスト部分と右脚部分と左脚部分とにそれぞれ当該各部分を締めるベルトを有することを特徴とする請求項１または２に記載の尻滑り用パンツ。
【請求項４】
前記滑走部が、縦方向に長い複数の突起を有することを特徴とする請求項１ないし３のいずれか１項に記載の尻滑り用パンツ。
【考案の詳細な説明】
【技術分野】
【０００１】
本考案は、ゲレンデや雪山、草スキー場等で尻滑りするために着用される尻滑り用パンツに関する。
【背景技術】
【０００２】
ゲレンデや雪山、草スキー場等で尻滑りする際にお尻の下にひくソリが知られている。これは、例えば、カイザー社からヒップソリ、キャプテンスタッグ社からスカイボート、下村企販からヒップボードの名前で販売されている。
【考案の概要】
【考案が解決しようとする課題】
【０００３】
しかし、ソリは、手で支えて滑ることが必要であり、不意のときに両手を使用することができない。
また、滑走の際に凸凹の斜面で衝撃を受けると、ソリは身体から離れやすく、使用者がソリを見失うことも発生しやすい。
更に、移動するときは、ソリを手に持ったり、背中に背負ったりしなければならず、ソリが荷物となる。
本考案は、滑走の際に両手を使用することができ、衝撃を受けても身体から離脱せず、装着したまま移動することができる尻滑り用パンツを提供することを目的とする。
【課題を解決するための手段】
【０００４】
上記課題を解決するために、本考案の尻滑り用パンツは、
防水性を有し、装着者によって装備の上から装着されるパンツ部と、
滑走に適した剛性を有し、前記パンツ部の尻の部分に固定された滑走部と、
を備えることを特徴とする。
【０００５】
望ましくは、本考案の尻滑り用パンツは、
前記パンツ部が、右側面と左側面にそれぞれ、当該各側面を開放できるチャックを有することを特徴とする。
【０００６】
望ましくは、本考案の尻滑り用パンツは、
前記パンツ部が、ウエスト部分と右脚部分と左脚部分とにそれぞれ当該各部分を締めるベルトを有することを特徴とする。
【０００７】
望ましくは、本考案の尻滑り用パンツは、
前記滑走部が、縦方向に長い複数の突起を有することを特徴とする。
【考案の効果】
【０００８】
本考案によれば、滑走の際に両手を使用することができ、衝撃を受けても尻滑り用パンツが身体から離脱せず、尻滑り用パンツを装着したまま移動することができる。
【図面の簡単な説明】
【０００９】
【図１】本考案の実施形態に係る尻滑り用パンツの一例を示す正面図である。
【図２】図１の尻滑り用パンツの一例を示す背面図である。
【図３】図１の尻滑り用パンツの一例を示す側面図である。
【考案を実施するための形態】
【００１０】
以下、図面を参照しつつ、本考案の実施形態に係る尻滑り用パンツについて詳細に説明する。なお、実施形態を説明する全図において、共通の構成要素には同一の符号を付し、繰り返しの説明を省略する。
【００１１】
図１〜図３は、それぞれ本考案の実施形態に係る尻滑り用パンツ１の一例を示す正面図と背面図と側面図である。
尻滑り用パンツ１は、ゲレンデや雪山、草スキー場等で尻滑りする際に装着者によってズボンやヤッケ等の装備の上から装着される。
尻滑り用パンツ１は、パンツ部１０と、滑走部２０とを有する。
【００１２】
パンツ部１０は、防水性を有する。パンツ部１０は、例えば、防水加工された丈夫な布でできている。
パンツ部１０は、前面に縦方向（上下方向）を向いたチャック１１を有する。装着者は、チャック１１を開けることにより、尻滑り用パンツ１を容易に着脱することができる。
また、パンツ部１０は、左側面と右側面にそれぞれチャック１２とチャック１３を有する。チャック１２とチャック１３は上側からでも下側からでも開けることができ、それぞれパンツ部１０の左側面と右側面を開放することができる。装着者は、チャック１２とチャック１３を開けて両側面を開放することにより、靴を脱がずに尻滑り用パンツ１を着脱することができる。なお、チャック１１〜チャック１３は、雪や水の侵入を防ぐことができる防水チャックであることが望ましい。
【００１３】
パンツ部１０は、ウエスト部分にベルト１４を有する。ベルト１４は、ウエスト部分を締めることができる。また、パンツ部１０は、右脚部分と左脚部分にそれぞれベルト１５とベルト１６とを有する。ベルト１５とベルト１６は、右脚部分と左脚部分をそれぞれ締めることができる。装着者は、ベルト１４とベルト１５とベルト１６を締めることにより、パンツ部１０の中へ雪や水が侵入することを防ぐことができる。
【００１４】
滑走部２０は、パンツ部１０の裏（尻の部分）に固定されている。滑走部２０は、例えば、パンツ部１０に縫い付けられたり、接着されたりすることにより固定される。滑走部２０は、雪や草の上を滑るのに適した（雪や草の滑走に適した）剛性を有する。
滑走部２０は、縦方向（上下方向）に長い複数の突起２１を有する。突起２１により滑走者の滑る方向が安定し、装着者は直線的に滑ることができる。
滑走部２０と突起２１は、例えばプラスチックでできている。滑走部２０は、突起２１を含めて一体成形される。ただし、滑るのに適した剛性を有していれば、滑走部２０と突起２１はプラスチック以外の材料でできていてもよい。
【００１５】
本考案によれば、滑走の際に、尻滑り用パンツの装着者は両手を使用することができ、尻滑り用パンツは衝撃を受けても装着者の身体から離脱しない。装着者は、滑走していないときでも尻滑り用パンツを装着したまま移動することができる。このとき、尻滑り用パンツは荷物にならない。
また、ズボンやヤッケ等の上から尻滑り用パンツを装着することにより、雪上を滑走する際にズボンやヤッケ等の中に雪が侵入することを防ぐことができる。
【００１６】
以上、本考案の実施形態について説明したが、設計上の都合やその他の要因によって必要となる様々な修正や組み合わせは、請求項に記載されている考案や考案の実施形態に記載されている具体例に対応する考案の範囲に含まれる。
【符号の説明】
【００１７】
１…尻滑り用パンツ、１０…パンツ部、１１…正面のチャック、１２…右側面のチャック、１３…左側面のチャック、１４…ウエストのベルト、１５…右脚のベルト、１６…左脚のベルト、２０…滑走部、２１…突起
【図１】
0003210206.tif 000003
【図２】
0003210206.tif 000004
【図３】
0003210206.tif 000005